(57)【特許請求の範囲】
【請求項１】
上下枠と、背板と、上下枠と背板とを連結するコーナージョイント部材と、側板と、表示板と、照明部や光反射板などで構成する発光ユニットとを備えており、上下枠と背板とコーナージョイント部材は、押出形材からなり、上下枠の少なくとも非表示側端面と背板の上下両側端面には、形材押出方向に連続する係止部が設けてあり、コーナージョイント部材の上下枠および背板の各々に連結する側の端面には、形材押出方向にスライドして上下枠および背板の係止部と係止する被係止部が設けてあり、上下枠および背板の内周側には、発光ユニットと表示板を所定位置で支持する支持具を上下枠又は背板に固定する固着具の頭部を挿通するほぼ凹状をなす溝部が形材押出方向に連続して設けてあり、溝部は、溝部内周側の両側壁に溝幅を狭めて溝部内に挿入した固着具の頭部を係止する突条をそれぞれ有していることを特徴とする内照式表示体。
【請求項２】
上下枠と背板の端面とコーナージョイント部材の連結壁部には、各々に挿入孔形成溝が設けてあり、係止部と被係止部が係止したときに両孔形成溝が対面して挿入孔を形成し、挿入孔は、挿入孔の孔長と略同一の長さを有し且つ弾性を有する棒材が挿通してあり、挿入孔の孔開口には、棒材の長手側両端をそれぞれ押圧して棒材を湾曲変形させる押圧部材が嵌入してあることを特徴とする請求項１記載の内照式表示体。
【発明の詳細な説明】
【技術分野】
【０００１】
本発明は、交通案内や広告に利用される内照式表示体に関するものである。
【背景技術】
【０００２】
案内標識や宣伝広告用として昼夜の表示を目的とした内照式表示体があり、これらは一般に、金属板からなる上下枠と左右枠と背板をボルトやネジなどの固着具を用いて箱組みして本体を形成し、さらに、本体背板の内周面に、ＬＥＤや蛍光管などの照明部や光反射板などの発光ユニットをＬ字アングルやブラケットなどの支持具を介して固着具で固定している。また、開放した本体正面側には、一面側に文字や絵柄などを表示するアクリル乳半板を前述した発光ユニットと同様、支持具を介してネジやボルトで固定する構造である。そして、上記のように形成された内照式表示体は、本体内部のＬＥＤ照明や蛍光管を点灯し、その光を光反射板やアクリル乳半板で拡散することで、文字や絵柄が表示板に鮮明且つ均一に照らし出される構造をなしている。
【先行技術文献】
【特許文献】
【０００３】
【特許文献１】特開２００３−２９６７３号公報
【特許文献２】特開２００７−８６２９９号公報
【発明の概要】
【発明が解決しようとする課題】
【０００４】
しかしながら、上記のような内照式表示体にあっては、表示板や発光ユニットを本体に固定するときに、上下枠や背板に直接ネジやボルトなどの固着具を挿通して支持具を固定するものであったため、固着具の頭部が本体外周面に露出して外観の体裁が損なわれていた。さらに、箱組みした本体に上記発光ユニットや表示板を一つ一つ取り付けていく地道な作業が要求されることから、組み立てが煩わしく歩留まりも多く発生し、生産性が落ちる問題点があった。
【０００５】
本発明は上記課題を鑑みてなされたものであり、組み立てが容易であるとともに、外観意匠性に優れ堅牢性も高い内照式表示体を提供することにある。
【課題を解決するための手段】
【０００６】
本発明のうち請求項１記載の発明は、上下枠と、背板と、上下枠と背板とを連結するコーナージョイント部材と、側板と、表示板と、照明部や光反射板などで構成する発光ユニットとを備えており、上下枠と背板とコーナージョイント部材は、押出形材からなり、上下枠の少なくとも非表示側端面と背板の上下両側端面には、形材押出方向に連続する係止部が設けてあり、コーナージョイント部材の上下枠および背板の各々に連結する側の端面には、形材押出方向にスライドして上下枠および背板の係止部と係止する被係止部が設けてあり、上下枠および背板の内周側には、発光ユニットと表示板を所定位置で支持する支持具を上下枠又は背板に固定する固着具の頭部を挿通するほぼ凹状をなす溝部が形材押出方向に連続して設けてあり、溝部は、溝部内周側の両側壁に溝幅を狭めて溝部内に挿入した固着具の頭部を係止する突条をそれぞれ有していることを特徴とする。ここで、押出形材は、ソリッド材や、中空押出形材、あるいは、ソリッド材を連結して中空状に形成した複合材などが含まれる。
【０００７】
本発明の請求項２記載の発明では、上下枠と背板の端面とコーナージョイント部材の連結壁部には、各々に挿入孔形成溝が設けてあり、係止部と被係止部が係止したときに両孔形成溝が対面して挿入孔を形成し、挿入孔は、挿入孔の孔長と略同一の長さを有し且つ弾性を有する棒材が挿通してあり、挿入孔の孔開口には、棒材の長手側両端をそれぞれ押圧して棒材を湾曲変形させる押圧部材が嵌入してあることを特徴とする。
【発明の効果】
【０００８】
本発明の請求項１記載の発明によれば、押出形材に溝部を設け、その溝部内に支持具を固定するためのネジ頭やボルトヘッドをスライドし、溝部の溝開口を狭める両突条に係止させる。これにより、上下枠や背板に固着具用の孔を開けることなく、溝部を利用して固定した支持具によって発光ユニットや表示板が取り付けられるので、本体に表示板や発光ユニットを組み込み易く、また、溝部を利用することにより、支持具の取付位置が調整できて取付精度が確保されることから歩留まりが少なく、生産性の高い内照式表示体を提供できる。しかも、この種の内照式表示体の性質上、人目に付く外観にネジ頭やボルトヘッドが露出せず、外観の凹凸が少なくなることで、木の葉やゴミなどの付着が少なくなることから外観意匠性が良好となる。また、押出形材の溝部を利用して発光ユニットの配線を格納することもでき、本体内の配線の取り回しが容易且つ整然と行えて組み立てを一層効率的に行える。
【０００９】
本発明の請求項２記載の発明によれば、押出形材からなる上下枠および背板の被係止部とコーナージョイント部材の係止部とが係止したときに、上下枠および背板とコーナージョイント部材との間に互いの挿入孔形成溝が対峙し、且つ合わさって形成された挿入孔に棒材を圧入することで、互いの係止状態がより強固となり、本体の堅牢性が高い内照式表示体を提供できる。
【図面の簡単な説明】
【００１０】
【図１】（ａ）は、本実施による内照式表示体として道路標識用内照灯を示す図２（ａ）中Ｂ−Ｂ線縦断面図であり、（ｂ）は、図２（ａ）中Ａを拡大して示す側面図である。
【図２】本実施による道路標識用内照灯の全体を示す斜視図である。
【図３】（ａ）は、図１中Ｄを拡大して示す側面図であり、（ｂ）は、コーナージョイント部材の側面図であり、（ｃ）は、挿入孔内でピンが棒材を押圧する状態を示す一部を拡大した図２中Ｃ−Ｃ線縦断面図である。
【図４】本実施による道路標識用内照等の組み立て手順を示す簡略化した斜視図である。
【発明を実施するための形態】
【００１１】
以下に、図面に基づいて本実施による内照式表示体として、道路標識用内照灯の実施の形態を説明する。
【００１２】
本実施による道路標識用内照灯（内照式表示体）は、図１（ａ）と図２を参照すれば、正面側に表示面を有する矩形箱型をなしており、中空押出形材からなる上枠２と、下枠３と、上下枠２，３の間に配置する背板４と、上下枠２，３と背板４とを各々連結するコーナージョイント部材５ａ，５ｂとから、側面視してほぼコ字型をなす本体１の中空押出形材構成部分を構成している。また、前述した中空押出形材構成部分の両側端面には、側板１１が皿ネジ３４で固定してあり、本体１の両側面を覆っている。また、背板４の本体１内周部側には、ＬＥＤ照明（照明部）９や光反射板１０などの発光ユニット３０が取り付けてあり、さらに、前述した左右両側部と同様に開放した本体１の正面側には、本道路標識用内照灯の表示面となる外周面側に文字や絵柄が印刷されたフィルムを貼着したアクリル乳半板６が、上下枠２，３内周部側にボルト１２とナット１３で固定したＬ字アングル７とブロック材８とに挟まれる状態で取り付けてある。
尚、図中の符号３３は、中空押出形材からなる端部キャップである。
【００１３】
上下枠２，３と背板４を構成する中空押出形材は、横幅（本体１形成後は奥行き方向）に比べて形材押出方向に長く形成してあるもので、本体１の外周部側と内周部側に位置し且つ平行な配置関係にある内周壁部２ａ，３ａ，４ａと外周壁部２ｂ，３ｂ，４ｂと、内周壁部２ａ，３ａ，４ａと外周壁部２ｂ，３ｂ，４ｂの両端を繋ぐ端面壁部２ｃ，３ｃ，４ｃとからほぼ矩形状に形成してある。また、内周壁部２ａ，３ａ，４ａまたは外周壁部２ｂ，３ｂ，４ｂのほぼ中央部には、形材押出方向に沿う断面ほぼ凹状をなす溝部２ｄ，３ｄ，４ｄが設けてある。溝部２ｄ，３ｄ，４ｄの形状については、図１（ｂ）のように、溝内周両側部の溝開口２８とほぼ面一となる位置から各々内向きに突出する突条２６が各々設けてあり、両突条２６によって溝開口２８が狭められる。この溝部２ｄ，３ｄ，４ｄを利用し、上下枠２，３あるいは背板４の溝部２ｄ，３ｄ，４ｄにボルトヘッド（頭部）１２ａを挿入してスライドさせ、さらに、ナット１３で締結したときに、ボルトヘッド１２ａが両突条２６の溝２ｄ，３ｄ，４ｄに面する内周側に係止する。また、端面壁部２ｃ，３ｃ，４ｃには、図３（ａ）を参照すれば、コーナージョイント部材５ａ，５ｂと係止するための被係止部１５が設けてあり、この被係止部１５は、内周壁部２ａ，３ａ，４ａまたは外周壁部２ｂ，３ｂ，４ｂとほぼ平行な方向に突出する垂直片１５ａと、垂直片１５ａの突出先端部から端面壁部２ｃ，３ｃ，４ｃとほぼ平行な方向に突出する水平片１５ｂとからなる、ほぼＬ字状をなしている。尚、上枠２と下枠３は、上下を逆にして使用することもできる。
【００１４】
コーナージョイント部材５ａ，５ｂは、図３（ａ）（ｂ）のように、断面ほぼ三角形状をなす中空押出形材であり、本体１コーナー部の入隅角度を設定する一対の連結壁部１７ａ，１７ｂと、各連結壁部１７ａ，１７ｂ間をつなぐ円弧状をなす露出壁部１８とからなっている。また、連結壁部１７ａ，１７ｂには、連結壁部１７ａ，１７ｂから離れる方向に突出する垂直片１９ａと、垂直片１９ａの突出先端から連結壁部１７ａ，１７ｂと平行する方向に突出する水平片１９ｂとからなるほぼＬ字状をなす係止部１９を有しており、係止部１９は、本体１を形成したときの連結壁部１７ａ，１７ｂにおける内周側と外周側間で間隔をあけた二箇所にあり、各係止部１９，１９間には、ほぼ半円状に窪んだ挿入孔形成溝２０ａが設けてある。
【００１５】
そして、上記した上下枠２，３と背板４とコーナージョイント部材５ａ，５ｂとの連結については、上枠２または下枠３の被係止部１５にコーナージョイント部材５ａ，５ｂのいずれか一方の係止部１９を、コーナージョイント部材５ａ，５ｂの形材押出方向に沿ってスライドしながら係止し、係止部１９と被係止部１５の互いの水平片１５ｂ，１９ｂ同士で奥行き方向と上下方向の抜け出しを規制する。また、コーナージョイント部材５ａ，５ｂと上下枠２，３あるいは背板４を係止したときに、互いの挿入孔形成溝２０ａ，２０ｂが対向してほぼ円形状をなし、且つ形材押出方向に延びる挿入孔２０を形成する。そして、図２（ｃ）のように、上記した挿入孔２０に棒材２１を挿通するとともに、挿入孔２０の両側の孔開口部２２，２２に各々ピン（押圧部材）２３を嵌入して棒材２１長手方向端部を両側から内向きに押圧することで、ピン２３の先端に押し込まれた棒材２１が彎曲して上下枠２，３とコーナージョイント部材５ａ，５ｂ、および、背板４とコーナージョイント部材５ａ，５ｂの双方を押し拡げる方向に押圧する。これにより、コーナージョイント部材５ａ，５ｂと上下枠２、３および背板４の連結力が強固なものとなり、結果、堅牢な形成される。
【００１６】
次に、本実施による道路標識用内照灯の組み立てについて、図４に基づいて以下に説明する。
まず、連結した上枠２と下枠３の本体１内周側には、それぞれに本道路標識用内照灯の表示面となるアクリル乳半板６を固定するためのＬ字アングル７が固着される。そして、上下枠２，３内周側へのＬ字アングル７の固着には、前述の溝部２ｄ，３ｄ，４ｄが利用される。具体的には、Ｌ字アングル７の水平片７ａの挿通孔１４（図１（ｂ）参照）に挿通したボルト１２のボルトヘッド１２ａを上枠２および下枠３の溝部２ｄ，３ｄ，４ｄにスライドし、Ｌ字アングル７のＬ字の垂直片７ｂを本体１正面側開口部のほうに位置させ、水平片７ａから突出するボルト１２のネジ部１２ｂにナット１３をかけて締結することで、両突条２６をボルトヘッド１２ａとナット１３で上下に挟持してＬ字アングル７を上下枠２，３の本体１内周側に固着する。また、ＬＥＤ照明９や光反射板１０などの固定についても、背板４の本体１内周側に設けてある溝部４ｄを利用し、図１（ａ）を参照すれば、ＬＥＤ照明９や光反射板１０から持ち出されたフランジや、ブラケットなどにネジ部を挿通したボルト１２のボルトヘッド１２ａをスライドし、さらに、ナット１３を締結して固着している。
【００１７】
また、図示は省略するが、ＬＥＤ照明９や電源ユニットなどを接続するケーブル類は、溝部２ｄ，３ｄ，４ｄの中に収めてあり、本体１内部に配線が露出しない状態となっている。これにより、配線の取り回しがし易くなって省スペース化がなされるので、ＬＥＤ照明９や電源ユニットの取り付けが簡単になり、さらに、配線の露出が少なくなることで、メンテナンス時の工具による配線への接触や水分の吹きかかりなどが防がれて耐用性の向上が見込まれる。尚、本実施のものはＬＥＤ照明９について開示したが、照明部としては蛍光管や電球などの他の発光手段であってもよい。また、本実施では中空押出形材を用いて本体を形成しているが、中空押出形材に替えて本体１をソリッド材で形成したり、あるいは、ソリッド材を連結して中空状にした複合材で形成することも可能である。
【符号の説明】
【００１８】
１  本体
２  上枠（押出形材）
３  下枠（押出形材）
４  背板（押出形材）
２ｄ，３ｄ，４ｄ  溝部
５ａ，５ｂ  コーナージョイント部材
６  アクリル乳半板（表示板）
７  Ｌ字アングル（支持具）
９  ＬＥＤ照明（照明部）
１０  光反射板
１２  ボルト（固着具）
１２ａ  頭部
１５  被係止部
１９  係止部
２０ａ，２０ｂ  挿入孔形成溝
２０  挿入孔
２１  棒材
２３  ピン（押圧部材）
３０  発光ユニット
【図１】
0005394960.tif 000002
【図２】
0005394960.tif 000003
【図３】
0005394960.tif 000004
【図４】
0005394960.tif 000005